(57)【要約】      （修正有）【課題】生理用タンポンの使用方法等を、２次元コードを介して使用者に詳細に説明できる生理用タンポンの収容体を提供する。【解決手段】生理用タンポンの収容体１は、複数の生理用タンポン２を収容する収容空間３と、生理用タンポンを出し入れする開口部と、開口部を開閉する外蓋部２０と、生理用タンポンの説明書３０と、を有する。説明書は、生理用タンポンの使用方法を説明するための動画にアクセスするための２次元コード３１を有し、開口部の少なくとも一部かつ複数の生理用タンポンを覆うように配置されている。２次元コードは、蓋部が開いた状態で収容体の外側に向かって配置されている。【選択図】図１
0003216696.tif 000002
【実用新案登録請求の範囲】
【請求項１】
複数の生理用タンポンを収容する収容空間と、生理用タンポンを出し入れする開口部と、前記開口部を開閉する蓋部と、生理用タンポンの説明書と、を有する、生理用タンポンの収容体であって、
前記説明書は、前記生理用タンポンの使用方法を説明するための動画にアクセスするための２次元コードを有し、前記開口部の少なくとも一部かつ前記複数の生理用タンポンを覆うように配置されており、
前記２次元コードは、前記収容体の外側に向かって配置されている、生理用タンポンの収容体。
【請求項２】
前記開口部は、互いに直交する第１方向及び第２方向にそれぞれ一定の長さを有しており、
前記説明書は、前記開口部の前記第１方向の中心及び前記開口部の前記第２方向の中心を跨いで配置されている、請求項１に記載の生理用タンポンの収容体。
【請求項３】
前記説明書は、前記開口部の前記第１方向の全域又は前記開口部の前記第２方向の全域に亘って配置されている、請求項２に記載の生理用タンポンの収容体。
【請求項４】
前記蓋部は、外蓋部と、前記外蓋部よりも前記収容空間側に配置され、かつ前記開口部の少なくとも一部を覆う内蓋部と、を有し、
前記２次元コードは、前記外蓋部及び前記内蓋部が開いた状態で前記収容体の外側に向かって露出している、請求項１から請求項３のいずれか１項に記載の生理用タンポンの収容体。
【請求項５】
前記内蓋部は、間隔を空けて一対で設けられており、
前記２次元コードは、前記一対の内蓋部のうち一方の内蓋部を開いた状態で前記収容体の外側に向かって露出している、請求項４に記載の生理用タンポンの収容体。
【請求項６】
前記蓋部は、外蓋部と、前記外蓋部よりも前記収容空間側に配置され、かつ前記開口部の少なくとも一部を覆う内蓋部と、を有し、
前記２次元コードは、前記外蓋部が開き、かつ前記内蓋部が閉じた状態で前記収容体の外側に向かって露出している、請求項１から請求項３のいずれか１項に記載の生理用タンポンの収容体。
【請求項７】
前記生理用タンポンの軸方向は、前記開口部側から前記収容空間側に向かう方向に沿っており、
前記内蓋部が閉じた状態において、前記内蓋部と前記説明書の間隔は、前記生理用タンポンの直径よりも短い、請求項６に記載の生理用タンポンの収容体。
【請求項８】
前記内蓋部は、間隔を空けて一対で設けられており、
前記説明書は、前記一対の内蓋部の間に配置されている、請求項６又は請求項７に記載の生理用タンポンの収容体。
【請求項９】
前記説明書は、前記２次元コードを囲む第１領域と、前記第１領域の周囲に位置し、かつ文字及び絵の少なくとも一方が付された第２領域と、を有し、
前記第１領域と前記第２領域の色差ΔＥは、３．０以上である、請求項１から請求項８のいずれか１項に記載の生理用タンポンの収容体。
【請求項１０】
前記生理用タンポンは、包装シートによって個別に包装されており、
前記包装シートと前記第１領域の色差ΔＥは、３．０以上である、請求項９に記載の生理用タンポンの収容体。
【考案の詳細な説明】
【技術分野】
【０００１】
本考案は、生理用タンポンを複数収容する生理用タンポンの収容体に関する。
【背景技術】
【０００２】
生理用タンポンは、膣内に配置されて体液を吸収する吸収体を有する。使用者は、生理用タンポンを使用する際に、タンポン用アプリケータ等を用いて吸収体を膣内の適切な位置に配置する。生理用タンポンを使用する際に、アプリケータを適切な深さまで挿入されていない状態で、使用者が吸収体を押し出すと、吸収体は、膣内の適切な位置に配置されないことがある。特に、タンポンを初めて使用する初心者の使用者は、アプリケータ使用方法がわからず、適切な位置にタンポンを配置できないことがある。このような問題に鑑みて、特許文献1には、タンポンの適切な位置を示す説明書となる位置指標部を収容体の外面に配置した生理用タンポンの収容体が提供されている。
【０００３】
また、近年、製品の使用方法等の取扱説明書を製品に添付するととともに、２次元コードを取扱説明書に添付することが行われている（特許文献２の図５参照）。使用者が２次元コードを携帯端末等によって読み取ることによって、製品の使用方法等を説明する動画を使用者に提供する。
【先行技術文献】
【特許文献】
【０００４】
【特許文献１】特開２０１３−１１１４１０号公報
【特許文献２】特開２０１５−１４１６５２号公報
【考案の概要】
【考案が解決しようとする課題】
【０００５】
特許文献１の収容体では、外面に説明書が配置されている。しかし、説明書が外面の模様と一体化して、使用者によっては、説明書を気づかないおそれがあった。また、特許文献２の説明書では、使用者が説明書の存在に気づかなかったり、使用者が説明書内の２次元コードの存在に気づかなかったりして、製品の使用方法等を説明する動画を使用者に提供することができないおそれがあった。
【０００６】
そこで、本考案は、上述の課題に鑑みてなされたものであり、生理用タンポンの使用方法等を、２次元コードを介して使用者に詳細に説明できる生理用タンポンの収容体を提供することを目的とする。
【課題を解決するための手段】
【０００７】
一態様に係る生理用タンポンの収容体は、複数の生理用タンポンを収容する収容空間と、生理用タンポンを出し入れする開口部と、前記開口部を開閉する蓋部と、生理用タンポンの説明書と、を有する、生理用タンポンの収容体であって、前記説明書は、前記生理用タンポンの使用方法を説明するための動画にアクセスするための２次元コードを有し、前記開口部の少なくとも一部かつ前記複数の生理用タンポンを覆うように配置されており、前記２次元コードは、前記蓋部が開いた状態で前記収容体の外側に向かって配置されている。
【図面の簡単な説明】
【０００８】
【図１】実施形態に係る生理用タンポンの収容体の外蓋部及び内蓋部が開いた状態の斜視図である。
【図２】実施形態に係る生理用タンポンの収容体の外蓋部が開き、内蓋部が閉じた状態の斜視図である。
【図３】図１に示す生理用タンポンの収容体の平面図である。
【図４】実施形態に係る生理用タンポンの斜視図である。
【考案を実施するための形態】
【０００９】
（１）実施形態の概要
本明細書及び添付図面の記載により、少なくとも以下の事項が明らかとなる。
一態様に係る生理用タンポンの収容体は、複数の生理用タンポンを収容する収容空間と、生理用タンポンを出し入れする開口部と、前記開口部の全域を開閉する蓋部と、生理用タンポンの説明書と、を有する、生理用タンポンの収容体であって、前記説明書は、前記生理用タンポンの使用方法を説明するための動画にアクセスするための２次元コードを有し、前記開口部の少なくとも一部かつ前記複数の生理用タンポンを覆うように配置されており、前記２次元コードは、前記蓋部が開いた状態で前記収容体の外側に向かって配置されている。
【００１０】
説明書は、開口部の少なくとも一部かつ複数の生理用タンポンを覆うように配置されている。使用者は、生理用タンポンを取り出そうと、生理用タンポンに対してアクセスする過程で説明書の存在に気づき易い。また、説明書の２次元コードは、蓋部が開いた状態で収容体の外側に向かって配置されている。そのため、使用者は、説明書の存在と共に２次元コードの存在に気づきやすい。２次元コードに気づきやすいため、２次元コードを介して動画等を使用者に提供し、生理用タンポンの使用方法等を詳細に説明することができる。
【００１１】
好ましい一態様によれば、前記開口部は、互いに直交する第１方向及び第２方向にそれぞれ一定の長さを有しており、前記説明書は、前記開口部の前記第１方向の中心及び前記開口部の前記第２方向の中心を跨いで配置されてよい。
【００１２】
本態様によれば、説明書が開口部の中心に配置されるため、使用者が説明書の存在をより気づき易い。
【００１３】
好ましい一態様によれば、前記説明書は、前記開口部の前記第１方向の全域又は前記開口部の前記第２方向の全域に亘って配置されてよい。
【００１４】
本態様によれば、開口部の第１方向の全域又は開口部の第２方向の全域に亘って説明書が配置されているため、使用者が生理用タンポンを取り出す際に、説明書が妨げとなり易い。よって、使用者が説明書の存在をより気づき易い。
【００１５】
好ましい一態様によれば、前記蓋部は、外蓋部と、前記外蓋部よりも前記収容空間側に配置され、かつ前記開口部の少なくとも一部を覆う内蓋部と、を有し、前記２次元コードは、前記外蓋部及び前記内蓋部が開いた状態で前記収容体の外側に向かって露出してよい。
【００１６】
本態様によれば、使用者が外蓋部及び内蓋部を開き、生理用タンポンにアクセスする過程で説明書の存在に気づき易い。また、説明書の２次元コードは、蓋部が開いた状態で収容体の外側に向かって配置されているため、使用者は、説明書の存在と共に２次元コードの存在に気づきやすい。
【００１７】
好ましい一態様によれば、前記内蓋部は、間隔を空けて一対で設けられており、前記２次元コードは、前記一対の内蓋部のうち一方の内蓋部を開いた状態で前記収容体の外側に向かって露出してよい。
【００１８】
本態様によれば、一方の内蓋部を開いた状態で収容体の外側に向かって露出しているため、使用者が一対の内蓋部を開く過程で説明書の存在に気づき易い。
【００１９】
好ましい一態様によれば、前記蓋部は、外蓋部と、前記外蓋部よりも前記収容空間側に配置され、かつ前記開口部の少なくとも一部を覆う内蓋部を有し、前記２次元コードは、前記外蓋部が開き、かつ前記内蓋部が閉じた状態で前記収容体の外側に向かって露出してよい。
【００２０】
本態様によれば、外蓋部が開き、かつ内蓋部が閉じた状態においても、２次元コードが露出している。使用者は、内蓋部が閉じた状態で開口部の一部から生理用タンポンを取り出す際等、内蓋部が閉じた状態においても、２次元コードの存在を気づき易い。よって、使用者が説明書の存在をより気づき易い。
【００２１】
好ましい一態様によれば、前記生理用タンポンの軸方向は、前記開口部側から前記収容空間側に向かう方向に沿っており、前記内蓋部が閉じた状態において、前記内蓋部と前記説明書の間隔は、前記生理用タンポンの直径よりも短くてよい。
【００２２】
本態様によれば、内蓋部が閉じた状態において、内蓋部と説明書の間隔が生理用タンポンの直径よりも短く、当該間隔を介して生理用タンポンを取り出し難い。よって、使用者は、内蓋部が閉じた状態で開口部の一部から生理用タンポンを取り出し難く、生理用タンポンを取り出すために内蓋部を開く操作及び説明書を取り出す操作の少なくとも一方を行う。よって、使用者が説明書の存在をより気づき易い。
【００２３】
好ましい一態様によれば、前記内蓋部は、間隔を空けて一対で設けられており、前記説明書は、前記一対の内蓋部の間に配置されている。
【００２４】
本態様によれば、一対の内蓋部の間に説明書が配置されているため、生理用タンポンを取り出すために内蓋部を開く操作及び説明書を取り出す操作の少なくとも一方を行う際に、使用者が説明書の存在をより気づき易い。
【００２５】
好ましい一態様によれば、前記説明書は、前記２次元コードを囲む第１領域と、前記第１領域の周囲に位置し、かつ文字及び絵の少なくとも一方が付された第２領域と、を有し、前記第１領域と前記第２領域の色差ΔＥは、３．０以上であってよい。
【００２６】
本態様によれば、２次元コードの周囲に位置する第１領域と第２領域との色差ΔＥが３．０以上であるため、使用者は、第１領域と第２領域を区別し易く、２次元コードの存在を認識し易くなる。
【００２７】
好ましい一態様によれば、前記生理用タンポンは、包装シートによって個別に包装されており、前記包装シートと前記第１領域の色差ΔＥは、３．０以上であってよい。
【００２８】
本態様によれば、２次元コードの周囲に位置する第１領域と包装シートとの色差ΔＥが３．０以上であるため、使用者は、第１領域と包装シートを区別し易く、２次元コードの存在を認識し易くなる。
【００２９】
（２）生理用タンポンの収容体の実施形態
以下、図面を参照して、実施形態に係る生理用タンポンの収容体（以下、収容体１とする）について説明する。なお、以下の図面の記載において、同一又は類似の部分には、同一又は類似の符号を付している。ただし、図面は模式的なものであり、各寸法の比率等は現実のものとは異なることに留意すべきである。したがって、具体的な寸法等は、以下の説明を参酌して判断すべきである。また、図面相互間においても互いの寸法の関係や比率が異なる部分が含まれ得る。
【００３０】
図１及び図２は、本実施形態に係る収容体の斜視図である。図１は、外蓋部及び内蓋部が開いた状態を示し、図１は、外蓋部が開き、内蓋部が閉じた状態を示している。図３は、図１に示す収容体１の平面図である。図４は、生理用タンポンの斜視図である。
【００３１】
収容体１は、複数の生理用タンポン２と、説明書３０と、生理用タンポン２及び説明書３０を収容する直方体の箱体と、を有する。箱体は、複数の生理用タンポン２を収容する収容空間３と、生理用タンポン２を出し入れする開口部１０と、開口部１０を開閉する蓋部と、を有する。収容体１の箱体は、互いに直交する第１方向Ｄ１、第２方向Ｄ２及び第３方向Ｄ３を有する。第１方向Ｄ１及び第２方向Ｄ２は、開口部１０が延びる方向である。すなわち、開口部１０は、第１方向Ｄ１及び第２方向Ｄ２にそれぞれ一定の長さを有している。開口部１０は、平面視にて略矩形である。開口部１０の一端縁１０Ａには、外蓋部２０が連なっている。本実施の形態の一端縁１０Ａは、第１方向Ｄ１に沿っているが、変形例として、第２方向Ｄ２に沿っていてもよい。
【００３２】
収容空間３は、開口部１０から第３方向Ｄ３側に延びてよい。収容空間３内には、複数の生理用タンポン２が収容されている。生理用タンポン２は、円柱形状である。生理用タンポンの軸方向の長さは、生理用タンポンの直径よりも長い。本実施の形態の収容体１では、開口部１０が上面に配置されており、生理用タンポン２が縦置きの状態で収容されている。生理用タンポン２は、図３に示す平面視にて、第１方向Ｄ１に複数列、かつ第２方向Ｄ２に複数列ならんで配置されている。生理用タンポン２は、包装シート２Ａによって個別に包装されている。
【００３３】
蓋部は、外蓋部２０と、内蓋部４０と、を有する。外蓋部２０は、開口部１０の全域を開閉するように構成されている。外蓋部２０は、開口部の一端縁１０Ａを中心として、回転方向に移動可能に構成されている。外蓋部２０によって開口部１０の全域を覆った状態と、外蓋部２０によって開口部１０を開放していない（開口部１０の全域を覆っていない）状態と、を実現できる。内蓋部４０は、外蓋部２０よりも収容空間３側に配置されている。外蓋部２０及び内蓋部４０が開いた状態において、開口部１０の全域が露出する。
【００３４】
説明書３０には、生理用タンポン２の説明が付されている。説明書３０は、紙等のシートによって構成されている。説明書３０は、生理用タンポン２の使用方法を説明するための動画にアクセスするための２次元コード３１を有している。使用者は、携帯電話等で２次元コードを撮像し、２次元コードに含まれるＵＲＬ情報等に基づいて動画サイトにアクセスできるように構成されている。説明書３０は、２次元コード３１の他に製品の説明や製品名を示すための文字３２や絵を有してもよい。文字３２や絵は、２次元コードを介さずに使用方法を説明するように構成されてもよい。文字などによる説明を有することにより、２次元コードを介して動画などにアクセスしない使用者にも使用方法の説明を付与できる。説明書３０は、複数回折り畳まれた状態で収容体１内に収容されてよい。
【００３５】
説明書３０は、開口部１０の少なくとも一部を覆うように配置されている。そのため、使用者は、外蓋部２０及び内蓋部４０を空けた際に、開口部１０を覆う説明書３０の存在に気づきやすい。また、説明書３０は、複数の生理用タンポンを覆うように配置されている。より詳細には、説明書３０は、複数の生理用タンポン２の軸方向の端縁２Ｂに対向した状態で、当該端縁２Ｂと外蓋部２０の間に配置されている。そのため、使用者は、生理用タンポン２を取り出そうと、生理用タンポン２に対してアクセスする過程で説明書３０の存在に気づき易い。具体的には、使用者は、蓋部を空ける操作過程において説明書の存在に気づき、その後、生理用タンポンを取り出し、２次元コードを読み込んで使用方法を知ることができる。このような使用者に対して提供する使用方法の動画としては、生理用タンポンの包装シートの開封から生理用タンポンを装着まで含まれることが好ましい。このように使用者の動画を見始めるタイミングにあった操作方法が含まれることにより、使用者は、繰り返し説明方法にアクセスし、正しい装着方法を知ることができる。
【００３６】
また、説明書３０の２次元コード３１は、外蓋部２０及び内蓋部４０の両方が開いた状態で収容体１の外側に向かって露出し、外蓋部２０のみが開き、内蓋部４０が閉じた状態で収容体１の外側に向かって露出していなくてもよい。このような構成によれば、使用者が外蓋部２０及び内蓋部４０を開き、生理用タンポンにアクセスする過程で説明書の存在に気づくことができる。なお、内蓋部４０が閉じた状態で、２次元コード３１の全域が内蓋部によって覆われていてもよいし、２次元コード３１の一部が内蓋部によって覆われていてもよい。また、２次元コード３１は、一対の内蓋部４０のうち一方の内蓋部４０を開いた状態で収容体の外側に向かって露出してよい。このような構成によれば、使用者が一対の内蓋部を開く過程で説明書の存在に気づき易い。
【００３７】
図１に示すように、説明書３０は、開口部１０の第１方向Ｄ１の中心Ｄ１ＣＬ及び開口部１０の第２方向Ｄ２の中心Ｄ２ＣＬを跨いで配置されてよい。説明書３０が開口部１０の中心に配置されることにより、使用者が説明書３０の存在をより気づき易くなる。
【００３８】
説明書３０は、開口部１０の第１方向Ｄ１の全域又は開口部１０の第２方向Ｄ２の全域に跨って配置されてよい。開口部１０の第１方向Ｄ１の全域又は開口部１０の第２方向Ｄ２の全域に跨って説明書３０が配置されているため、使用者が生理用タンポン２を取り出す際に、説明書が妨げになり易い。よって、使用者が説明書の存在をより気づき易い。本実施の形態の説明書３０は、第２方向Ｄ２の全域に亘って配置されており、第１方向Ｄ１の全域に亘って配置されていない。第１方向Ｄ１の全域に亘って配置されていないため、使用者は、外蓋部２０を開いた状態で、生理用タンポン２を認識し易く、生理用タンポン２を円滑に取り出すことができる。
【００３９】
説明書３０は、第２方向Ｄ２において並んで配置された生理用タンポン２の列全体を覆っており、第２方向Ｄ２の中央が第２方向Ｄ２の外端よりも第３方向Ｄ３外側に膨らんだ山形状に配置されている。生理用タンポン２は、軸方向において２つの端縁２Ｂを有している。具体的には、身体に挿入する先端縁と、挿入時に操作する把持部側の把持端と、を有する。先端縁は、身体に挿入するために曲線形状であり、把持端は、操作時に指が当てやすいように平坦な形状である。説明書３０は、生理用タンポン２の先端縁側に配置されてよい。説明書３０が生理用タンポン２の曲線形状に沿って山形状に配置され易い。説明書３０が膨らんで配置されることにより、説明書３０を目立たせ、使用者に２次元コードの存在をより認識し易くできる。また、他の形態において、説明書３０は、生理用タンポンの把持縁側に配置されてよい。説明書が平坦に配置され易く、使用者に２次元コードの存在をより認識し易くできる。
【００４０】
また、図３に示す平面視にて、開口部１０の面積に対する生理用タンポンの面積の比率は、１８％以上８４％以下であってよい。また、平面視にて、説明書３０の面積に対する生理用タンポンの面積の比率は、１８％以上４０％以下であってよい。なお、ここにおける生理用タンポンの面積は、包装シートに包装されていない状態における軸方向の端縁（開口部１０側に向けられた先端縁又は把持端）の面積である。生理用タンポンの面積の比率が１８％未満であると、収容体の収容空間に対する内容物の密度が疎である。そのため、説明書が倒れ込んでしまうおそれがあり、開封時に説明書が意図した位置からずれてしまうおそれがある。また、生理用タンポンの面積の比率が８４％よりも大きいと、収容体の収容空間に対する内容物の密度が密である。そのため、生理用タンポンを取り出し難くなってしまい、開口部１０を塞ぐように配置された説明書をどけることに意識が集中してしまい、２次元コード３１の存在に気づかないおそれがある。加えて、内容物の密度が密であることにより、取り出す際に包装シートが破れてしまい、開口部１０を塞ぐように配置された説明書をどけることに意識が集中してしまい、２次元コード３１の存在に気づかないおそれがある。
【００４１】
説明書３０は、開口部１０の上側（蓋側）に乗っていればよいが、より好ましくは、開口部１０の寸法よりも長く、その長い部分が生理用タンポン２の軸方向に沿っていてもよい。このような構成によれば、複数の生理用タンポン２の上面によって説明書３０を支えるとともに、生理用タンポン２の側面と収容体の側面とによって説明書を支えることができる。よって、説明書３０が倒れ込むことを抑制し、説明書が使用者に気づかれやすい位置を維持できる。
【００４２】
内蓋部４０は、外蓋部２０よりも収容空間３側に配置され、かつ開口部１０の少なくとも一部を覆っている。未開封の収容体１の状態から外蓋部２０を開き、かつ内蓋部４０を開くことによって、開口部１０全体が露出する。本実施の形態の内蓋部４０は、開口部１０において外蓋部２０が連なる一端縁１０Ａと直交する一対の側縁１０Ｂ及び１０Ｃに連なっている。側縁１０Ｂ及び１０Ｃは、第２方向Ｄ２に沿っている。
【００４３】
また、変形例において、２次元コード３１は、外蓋部２０が開き、かつ内蓋部４０が閉じた状態で収容体１の外側に向かって露出してよい。このような構成によれば、使用者は、内蓋部４０が閉じた状態で開口部１０の一部から生理用タンポン２を取り出す際等、内蓋部４０が閉じた状態においても、２次元コード３１の存在を気づき易い。よって、使用者が説明書３０の存在をより気づき易くなる。
【００４４】
図３に示すように、内蓋部４０が閉じた状態において、内蓋部４０と説明書の間隔Ｇ１は、生理用タンポン２の直径Ｌ２よりも短くてよい。内蓋部４０が閉じた状態において、内蓋部４０と説明書３０の間隔Ｇ１が生理用タンポン２の直径Ｌ２よりも短く、当該間隔Ｇ１を介して生理用タンポン２を取り出し難い。よって、使用者は、内蓋部４０が閉じた状態で開口部１０の一部から生理用タンポン２を取り出し難く、生理用タンポン２を取り出すために内蓋部４０を開く操作及び説明書３０を取り出す操作の少なくとも一方を行う。よって、使用者が説明書の存在をより気づき易い。この生理用タンポンの直径Ｌ２は、包装シート２Ａによって包装されていない状態での生理用タンポンの直径であってよい。
【００４５】
内蓋部４０は、間隔を空けて一対で設けられており、説明書は、一対の内蓋部４０の間に配置されてよい。本実施の形態の内蓋部４０は、第１方向Ｄ１に間隔を空けて配置されている。説明書３０は、第１方向Ｄ１における内蓋部４０の間に配置されている。一対の内蓋部４０の間に説明書３０が配置されているため、生理用タンポン２を取り出すために内蓋部４０を開く操作及び説明書３０を取り出す操作の少なくとも一方を行う際に、使用者が説明書の存在をより気づき易くなる。
【００４６】
図３に示すように、説明書３０は、２次元コード３１を囲む第１領域Ｒ１と、第１領域Ｒ１の周囲に位置し、かつ文字及び絵の少なくとも一方が付された第２領域Ｒ２と、を有してよい。第１領域Ｒ１と第２領域Ｒ２の色差ΔＥは、３．０以上であってよい。出願人が種々検討を重ねた結果、使用者は、一般的に色差ΔＥが３．０以上であると、２つの領域を別の領域として認識し易いことがわかった。第１領域Ｒ１と第２領域Ｒ２との色差ΔＥが３．０以上であることにより、使用者は、第１領域Ｒ１と第２領域Ｒ２を区別し易く、２次元コード３１の存在を認識し易くなる。なお、第１領域Ｒ１は、２次元コード３１の外縁の少なくとも一部に隣接する領域であればよい。具体的には、２次元コード３１は、黒色であり、第１領域Ｒ１は、白色であり、第２領域Ｒ２は、黄色であってよい。
【００４７】
また、生理用タンポンの包装シート２Ａと第１領域Ｒ１の色差ΔＥは、３．０以上であってよい。２次元コード３１の周囲に位置する第１領域Ｒ１と包装シート２Ａとの色差ΔＥが３．０以上であるため、使用者は、第１領域Ｒ１と包装シート２Ａを区別し易く、２次元コード３１の存在を認識し易くなる。
【００４８】
二つの領域の色差ΔＥは、測定対象となる２点（２つの領域）について市販の測色器を用いて測色を行い、ＪＩＳ Ｚ 8729に規定されるＣＩＥ１９７６（L*a*b*）色空間に基づいて数値化した値を比較することによって求めることができる。具体的に、測定対象たる２点間のL*値の差がΔL*、a*の差がΔa*、b*値の差がΔb*であるときに、色差ΔＥ＝[(ΔL*)2＋(Δa*)2＋(Δb*)2]1/2によって求められる。
【００４９】
また、図４に示すように、生理用タンポン２の包装シート２Ａは、２次元コード２Ｃを有してよい。説明書３０の２次元コード３１のみならず、包装シート２Ａの２次元コード２Ｃを設けることにより、使用者は、生理用タンポン２を箱体から取り出し、持ち運ぶ過程においても２次元コード３１に含まれるＵＲＬ情報等に基づいて動画サイトにアクセスすることが可能となる。
【００５０】
また、他の形態において、外蓋部２０の内側面（開口部側の面）と、内蓋部４０の外面（外蓋部側の面）と、のいずれか一方にも２次元コードを付してもよい。外蓋部２０の内側面や内蓋部４０の外面（外蓋部側の面）に２次元コード３１を付すことにより、使用者は、蓋部を操作する過程において説明書の存在に気づき易くなる。また、他の形態において、外蓋部２０の内側面（開口部側の面）と、内蓋部４０の外面（外蓋部側の面）と、のいずれか一方に、説明書３０の存在や２次元コード３１の存在を使用者に示す表示部を設けてもよい。使用者は、蓋部を操作する過程において表示部を見ることによって、説明書の２次元コードの存在を気づくことができる。
【００５１】
以上、上述の実施形態を用いて本考案について詳細に説明したが、当業者にとっては、本考案が本明細書中に説明した実施形態に限定されるものではないということは明らかである。本考案は、実用新案登録請求の範囲の記載により定まる本考案の趣旨及び範囲を逸脱することなく修正及び変更態様として実施することができる。したがって、本明細書の記載は、例示説明を目的とするものであり、本考案に対して何ら制限的な意味を有するものではない。
【符号の説明】
【００５２】
１        ：収容体
２        ：生理用タンポン
２Ａ      ：包装シート
３        ：収容空間
１０      ：開口部
２０      ：外蓋部
３０      ：説明書
３１      ：２次元コード
３２      ：文字
４０      ：内蓋部
Ｄ１      ：第１方向
Ｄ２      ：第２方向
Ｄ３      ：第３方向
Ｇ１      ：間隔
Ｌ２      ：直径
Ｒ１      ：第１領域
Ｒ２      ：第２領域
【図１】
0003216696.tif 000003
【図２】
0003216696.tif 000004
【図３】
0003216696.tif 000005
【図４】
0003216696.tif 000006